(57)【特許請求の範囲】
【請求項１】
Ｇｓ関連付けを確立するための方法であって、
サービングＧＰＲＳサポートノード（ＳＧＳＮ）が、アイドル状態シグナリング削減機能（ＩＳＲ）活性化状態にあるユーザ装置（ＵＥ）のＳＧｓ関連付けが解放されたと判断するとき、
前記ＳＧＳＮが、ロケーション更新要求を、移動交換センター／ビジター位置登録装置（ＭＳＣ／ＶＬＲ）に送信して、前記ＵＥのためのＧｓ関連付けが前記ＳＧＳＮと前記ＭＳＣ／ＶＬＲとの間に確立されるようにする送信ステップ、を備え、前記ＳＧＳＮがロケーション更新要求を前記ＭＳＣ／ＶＬＲに送信する前記ステップの前に、前記ＳＧＳＮが、ディタッチ要求メッセージを前記ＵＥに送信するステップであり、前記ＵＥによって連携登録手順が開始されるようにする送信ステップをさらに備える、方法。
【請求項２】
請求項１に記載の方法であって、前記ＳＧＳＮがディタッチ通知メッセージをモビリティ管理エンティティ（ＭＭＥ）から受信し、ＩＳＲ活性化状態にある前記ＵＥが進化パケットシステムモビリティ管理連携手順（ＥＭＭ連携手順）能力を持つとき、前記ＳＧＳＮが、ＩＳＲ活性化状態にある前記ＵＥのＳＧｓ関連付けが解放されたと判断するステップをさらに備える、方法。
【請求項３】
請求項２に記載の方法であって、前記ＭＭＥが、サービングゲートウェイ（Ｓ−ＧＷ）によって送信されたベアラ削除要求を受信するとき、または、前記ＭＭＥが、前記Ｓ−ＧＷが再スタートしたと判断するとき、前記ディタッチ通知メッセージが前記ＭＭＥによって前記ＳＧＳＮに送信される、方法。
【請求項４】
請求項２または３に記載の方法であって、前記ＭＭＥから受信する前記ディタッチ通知メッセージが、前記ＳＧｓ関連付けが解放されたことを示す情報をさらに含む、方法。
【請求項５】
請求項１に記載の方法であって、前記ＳＧＳＮが、ベアラ削除要求メッセージをサービングゲートウェイ（Ｓ−ＧＷ）から受信するとき、または、前記Ｓ−ＧＷが再スタートしたと判断するとき、もし、前記ＵＥのすべてのベアラ・コンテクストが解放され、ＩＳＲ活性化状態にいる前記ＵＥが、進化パケットシステムモビリティ管理連携手順（ＥＭＭ連携手順）能力を持つならば、前記ＳＧＳＮが、ＩＳＲ活性化状態にある前記ＵＥの前記ＳＧｓ関連付けが解放されたと判断するステップをさらに備える、方法。
【請求項６】
請求項２乃至５のいずれか１項に記載の方法であって、前記ＵＥがＧＳＭ進化無線アクセスネットワークのためのＧＳＭ拡張データレート／ユニバーサル移動通信システム領土無線アクセスネットワーク（ＧＥＲＡＮ／ＵＴＲＡＮ）上で連携アタッチまたはルーティングエリア更新を開始するとき、前記ＳＧＳＮが、前記ＵＥがＥＭＭ連携手順能力を持つことを示す情報を前記ＵＥから受信するステップをさらに備える、方法。
【請求項７】
請求項１乃至６のいずれか１項に記載の方法であって、前記ＳＧＳＮによって前記ＵＥに送信される前記ディタッチ要求メッセージに含まれるタイプ表示は、前記ＵＥによって前記連携登録手順が開始されるように、国際移動電話加入者識別番号ディタッチメントである、方法。
【請求項８】
請求項１乃至７のいずれか１項に記載の方法であって、前記ＵＥがアイドル状態にあるとき、そして、前記ディタッチ要求メッセージを前記ＵＥに送信する前に、前記ＳＧＳＮは、前記ＵＥが接続状態に切り換わり、前記ＵＥが前記ＳＧＳＮから送信される前記ディタッチ要求メッセージを受信するように、呼出しメッセージを前記ＵＥに送信する、方法。
【請求項９】
サービングＧＰＲＳサポートノード（ＳＧＳＮ）であって、
アイドル状態シグナリング削減機能（ＩＳＲ）活性化状態にあるユーザ装置（ＵＥ）のＳＧｓ関連付けが解放されたと判断するように構成された判断ユニットと、
前記判断ユニットが、前記ＳＧｓ関連付けが解放されたと判断するときに、ロケーション更新要求を、移動交換センター／ビジター位置登録装置ＭＳＣ／ＶＬＲに送信して、前記ＳＧＳＮと前記ＭＳＣ／ＶＬＲとによって、前記ＵＥのためのＧｓ関連付けが確立されるように構成された送信ユニットと、を備え、前記ロケーション更新要求を前記ＭＳＣ／ＶＬＲに送信する前に、前記送信ユニットはさらに、ディタッチ要求メッセージを前記ＵＥに送信して、前記ＵＥによって連携登録手順が開始されるように構成された、ＳＧＳＮ。
【請求項１０】
請求項９に記載のＳＧＳＮであって、当該ＳＧＳＮはさらに、ベアラ削除要求メッセージをサービングゲートウェイＳ−ＧＷから受信するか、サービングゲートウェイＳ−ＧＷが再スタートしたと判断するか、または、ディタッチ通知メッセージをモビリティ管理エンティティＥＭＭから受信するように構成された、ＳＧＳＮ。
【請求項１１】
請求項１０に記載のＳＧＳＮであって、前記判断ユニットは、前記受信ユニットが前記ベアラ削除要求メッセージを前記Ｓ−ＧＷから受信するか、または、前記Ｓ−ＧＷが再スタートしたと判断するかしたとき、もし、前記ＵＥのすべてのベアラ・コンテクストが解放され、ＩＳＲ活性化状態にある前記ＵＥが進化パケットシステムモビリティ管理連携手順ＥＭＭ連携手順能力を持つならば、前記ＳＧｓ関連付けが解放されたと判断するように構成された、ＳＧＳＮ。
【請求項１２】
請求項１０に記載のＳＧＳＮであって、前記判断ユニットは、前記受信ユニットが前記ディタッチ通知メッセージを前記ＭＭＥから受信し、ＩＳＲ活性化状態にある前記ＵＥが進化パケットシステムモビリティ管理連携手順ＥＭＭ連携手順能力を持つとき、前記ＳＧｓ関連付けが解放されたと判断するように構成された、ＳＧＳＮ。
【請求項１３】
請求項１２に記載のＳＧＳＮであって、前記ＭＭＥから受信する前記ディタッチ通知メッセージが、前記ＳＧｓ関連付けが解放されたことを示す情報をさらに含む、ＳＧＳＮ。
【請求項１４】
請求項１０乃至１３のいずれか１項に記載のＳＧＳＮであって、前記受信ユニットはさらに、前記ＵＥがＧＳＭ進化無線アクセスネットワークのためのＧＳＭ拡張データレート／ユニバーサル移動通信システム領土無線アクセスネットワーク（ＧＥＲＡＮ／ＵＴＲＡＮ）上で連携アタッチまたはルーティングエリア更新を開始するときに、前記ＵＥによって当該ＳＧＳＮに送信されるＥＭＭ連携手順能力の情報を受信するように構成された、ＳＧＳＮ。
【請求項１５】
請求項９乃至１４のいずれか１項に記載のＳＧＳＮであって、前記送信ユニットによって前記ＵＥに送信される前記ディタッチ要求メッセージに含まれるタイプ表示は、前記ＵＥによって前記連携登録手順が開始されるように、国際移動電話加入者識別番号ディタッチメントである、ＳＧＳＮ。
【請求項１６】
請求項９乃至１５のいずれか１項に記載のＳＧＳＮであって、前記ＵＥがアイドル状態にあるとき、そして、前記ディタッチ要求メッセージを前記ＵＥに送信する前に、前記送信ユニットはさらに、前記ＵＥが接続状態に切り換わり、前記ＵＥが当該ＳＧＳＮから送信される前記ディタッチ要求メッセージを受信するように、呼出しメッセージを前記ＵＥに送信するように構成された、ＳＧＳＮ。
【発明の詳細な説明】
【技術分野】
【０００１】
本特許出願は、通信技術、特に、Ｇｓ関連付け（Gs  association）を確立するための方法及びデバイスに関する。
【背景技術】
【０００２】
無線アクセスネットワーク（Radio  Access  Network、以下、ＲＡＮと称する）は、ＧＳＭ進化無線アクセスネットワークのためのＧＳＭ拡張データレート（GSM  Enhanced  Data  Rate  for  GSM  Evolution  Radio  Access  Network、以下、ＧＥＲＡＮと称する）、ユニバーサル移動通信システム領土無線アクセスネットワーク（Universal  Mobile  Telecommunications  System  Territorial  Radio  Access  Network、以下、ＵＴＲＡＮと称する）、および、進化ユニバーサル移動通信システム領土無線アクセスネットワーク（Evolved  UMTS  Territorial  Radio  Access  Network、以下、Ｅ−ＵＴＲＡＮと称する）を含む。
【０００３】
ユーザ装置（User  Equipment、以下、ＵＥと称する）は、最初に、ＧＥＲＡＮ／ＵＴＲＡＮ上で連携登録（combined  registration）を完了する。次にＵＥは、Ｅ−ＵＴＲＡＮに移動し、連携更新（combined  update）を完了し、アイドル状態シグナリング軽減（Idle  mode  signaling  reduction、以下、ＩＳＲと称する）機能を活性化させる。ＵＥが再びＧＥＲＡＮ／ＵＴＲＡＮに移動し、ＧＥＲＡＮ／ＵＴＲＡＮに留まる（camp  on）とき、ＵＥは、暗黙のうちに、移動交換センター／ビジター位置登録装置（Mobile  Switch  Center/Visitor  Location  Register、以下、ＭＳＣ／ＶＬＲと称する）によってディタッチ（detach）され得る。
【発明の概要】
【発明が解決しようとする課題】
【０００４】
従来技術において、上述のシナリオが発生するとき、通常のネットワークカバレージ下のＵＥは、ＵＥが暗黙のうちにＭＳＣ／ＶＬＲによってディタッチされたことに気が付かず、その結果、ＵＥがＭＳＣ／ＶＬＲによってディタッチされた後、モバイル終端サービス（mobile  terminated  service）が届かなくなり、それによってユーザのサービス経験に影響が出るということを、本発明者は発見した。
【０００５】
本発明のいくつかの観点についての基本的理解を提供するために、本発明の概要が以下に示される。概要は、本発明のすべてを含む概要ではないということが理解されるべきである。概要は、本発明の鍵となる部分や重要な部分を決定することを意図するものではなく、本発明の範囲を制限することを意図するものでもない。概要の目的は、単に、いくらかのコンセプトをシンプルな方法で与えることであり、のちのより詳しい説明の序文として利用される。
【課題を解決するための手段】
【０００６】
本発明の実施形態は、Ｇｓ関連付けを確立するための方法及びデバイスを提供する。
【０００７】
Ｇｓ関連付けを確立するための方法は、アイドル状態シグナリング軽減機能ＩＳＲの活性化された状態にいるユーザ装置のＳＧｓ関連付けが解放されたと、サービングＧＰＲＳサポートノード（serving  ＧＰＲＳ  support  node）ＳＧＳＮが決定するとき、ＳＧＳＮが、位置更新要求を、移動交換センター／ビジター位置登録装置ＭＳＣ／ＶＬＲに送信して、ＳＧＳＮとＭＳＣ／ＶＬＲとが、ＵＥのためのＧｓ関連付けを確立するステップを含む。
【０００８】
サービングＧＰＲＳサポートノードＳＧＳＮは、アイドル状態シグナリング軽減機能ＩＳＲの活性化された状態にいるユーザ装置のＳＧｓ関連付けが解放されたと決定するように構成された決定手段と、ＳＧｓ関連付けが解放されたと決定手段が決定するとき、位置更新要求を移動交換センター／ビジター位置登録装置ＭＳＣ／ＶＬＲに送信して、ＳＧＳＮとＭＳＣ／ＶＬＲとが、ＵＥのためのＧｓ関連付けを確立するように構成された送信手段と、を含む。
【０００９】
上述の技術的解決策より、本発明の実施形態において提供される、Ｇｓ関連付けを確立するための方法及びデバイスを用いて、ユーザ装置がＩＳＲ活性化状態にいて、ＳＧｓ関連付けが解放された後、Ｇｓ関連付けが間に合うように確立され、その結果、ＵＥは暗黙のうちにＭＳＣ／ＶＬＲによってディタッチされず、ＵＥのモバイル終端サービスが影響を受けず、それによって、ユーザのサービス経験を拡張することがわかる。
【図面の簡単な説明】
【００１０】
本発明の実施形態における技術的解決策をより明確に説明するために、実施形態を説明するために必要な添付図面が、以下において簡潔に紹介される。明らかに、以下の説明における添付図面は、単に、本発明のいくつかの実施形態を示すものであり、当業者は、創造的努力を要することなく、これらの添付図面から他の図面を導出し得る。
【図１】本発明の実施形態に従った移動通信ネットワークの構造図である。
【図２】本発明の第１の実施形態に従った方法の概略フローチャートである。
【図３】本発明の第２の実施形態に従った方法の概略フローチャートである。
【図４】本発明の第３の実施形態に従った方法の概略フローチャートである。
【図５】本発明の第４の実施形態に従った方法の概略フローチャートである。
【図６】本発明の第５の実施形態に従った方法の概略フローチャートである。
【図７】本発明の第６の実施形態に従ったＳＧＳＮの概略構造図である。
【図８】本発明の第７の実施形態に従ったＳＧＳＮの概略構造図である。
【発明を実施するための形態】
【００１１】
本発明の典型的な実施形態が添付図面を参照しつつ以下において説明される。明確さと簡潔さのために、実際の実装方法のすべての特徴が本明細書において説明されるものではない。しかしながら、注意すべきことは、実装方法に対して特定される多くの決定は、開発者の特定の目的を実現するために、いかなる種類の実際の実施形態の開発プロセス中に決定されるべきであり、これらの決定は、異なる実装方法に伴って変更され得る。
【００１２】
図１に示されるように、本発明の一実施形態に従った移動通信ネットワークは、２つの部分：無線アクセスネットワーク（Radio  Access  Network、以下、ＲＡＮと称する）と、コアネットワーク（Core  Network、以下、ＣＮと称する）とを含む。ＧＥＲＡＮ、ＵＴＲＡＮ、およびＥ−ＵＴＲＡＮはＲＡＮに属する。移動管理エンティティ（Mobility  Management  Entity、以下、ＭＭＥと称する）、サービングＧＰＲＳサポートノード（serving  ＧＰＲＳ  support  node、以下、ＳＧＳＮと称する）、移動交換センター／ビジター位置登録装置（Mobile  Switch  Center/Visitor  Location  Register、以下、ＭＳＣ／ＶＬＲと称する）、サービング・ゲートウェイ（Serving  Gateway、以下、Ｓ−ＧＷと称する）、およびパケット・データ・ネットワーク・ゲートウェイ（Packet  Data  Network  Gateway、以下、Ｐ−ＧＷと称する）は、ＣＮに属する。ＣＮは、論理的に、回線交換（Circuit  Switched、以下、ＣＳと称する）ドメインと、パケット交換（Packet  Switched、以下、ＰＳ）ドメインとに分かれる。ＭＳＣ／ＶＬＲは、ＣＳドメインのエンティティであり、ＳＧＳＮ、ＭＭＥ、Ｓ−ＧＷおよびＰ−ＧＷはＰＳドメインのエンティティである。
【００１３】
モバイルネットワークにおいて、アイドル状態にあるＵＥは、アクセスシステムを変更するために、対応するモビリティ管理手順を実行する必要がある。例えば、アイドル状態にあるＵＥがＧＥＲＡＮ／ＵＴＲＡＮからＥ−ＵＴＲＡＮにアクセスするとき、ＵＥは、トラッキング・エリア更新（Tracking  Area  Update、以下、ＴＡＵと称する）手順を開始する。そして、Ｅ−ＵＴＲＡＮからＧＥＲＡＮ／ＵＴＲＡＮにアクセスするとき、ＵＥは、ルーティング・エリア更新（Routing  Area  Update、以下、ＲＡＵと称する）手順を開始する。アイドル状態において、ＵＥが頻繁にＧＥＲＡＮ／ＵＴＲＡＮとＥ−ＵＴＲＡＮとの間を切り換えることにより、多数のモビリティ管理手順を引き起こし、結果的にシグナリングの嵐となるという問題を解決するために、アイドル状態シグナリング軽減機能（Idle  Mode  Signalling  Reduction、以下、ＩＳＲと称する）がネットワークにおいて導入される。ＩＳＲは、ＳＧＳＮまたはＭＭＥによって選択され活性化され、ＵＥによって開始されたＲＡＵ手順またはＴＡＵ手順の最中にあるＵＥに対して通知される。ひとたびＩＳＲが活性化されると、ＵＥが、登録ルーティング・エリア（Routing  Area、以下、ＲＡと称する）および登録トラッキング・エリア（Tracking  Area、以下、ＴＡと称する）に入ったとき、アクセスシステムの変更によるＲＡＵまたはＴＡＵ手順は発生しない。
【００１４】
ＵＥは、Ｅ−ＵＴＲＡＮ上で、連携アタッチ手順（Combined  Attach  Procedure）または、連携エリア／ロケーションエリア更新手順（Combined  TA/LA  Updating  Procedure）を開始する。上述の手順は、連携手順（Combined  Procedure）と称する。ＭＭＥおよびＭＳＣ／ＶＬＲは、ＵＥのためにＳＧｓ関連付けを確立し、そして、ＭＭＥおよびＭＳＣ／ＶＬＲは、ＵＥがＳＧｓ関連付けにいることを記録する。ＭＳＣ／ＶＬＲは、暗黙的ディタッチ・タイマ（Implicit  Detach  Timer）を停止し、ＵＥは暗黙のうちにディタッチされない。連携アタッチ手順は、連携登録手順とも称され得る。暗黙的ディタッチ・タイマはＭＳＣ／ＶＬＲの中に保存される。ＵＥとＭＳＣ／ＶＬＲとが切断されるとき、ＭＳＣ／ＶＬＲは、暗黙的ディタッチ・タイマを開始する。そして、もし、暗黙的ディタッチ・タイマがタイムアウトするならば、ＭＳＣ／ＶＬＲはＵＥをディタッチする。ＵＥとＭＳＣ／ＶＬＲとが接続を確立すると、暗黙的ディタッチ・タイマは止められ、リセットされる。暗黙的ディタッチは、ネットワーク側が、ＵＥに通知することなくＵＥをディタッチすることを意味する。暗黙的ディタッチに対応する明示的ディタッチは、ネットワーク側とＵＥとが明示的にディタッチを要求し、シグナリングを介して互いに通知することを意味する。
【００１５】
同様に、もし、ＵＥが、ＧＥＲＡＮ／ＵＴＲＡＮ上で、連携アタッチ手順（Combined  Attach  Procedure）または連携トラッキングエリア／ロケーションエリア更新手順（Combined  TA/LA  Updating  Procedure）を開始するならば、上述の手順は、連携手順（Combined  Procedure）と称される。連携アタッチ手順はまた、連携登録手順とも称され得る。ＳＧＳＮおよびＭＳＣ／ＶＬＲは、ＵＥのためのＧｓ関連付けを確立し、ＳＧＳＮおよびＭＳＣ／ＶＬＲは、ＵＥがＳＧｓ関連付けにいることを記録し、ＭＳＣ／ＶＬＲは暗黙的ディタッチタイマ（Implicit  Detach  Timer）を止め、ＵＥは暗黙的にディタッチされない。
【００１６】
もし、ＭＭＥとＭＳＣ／ＶＬＲがＵＥのためにＳＧｓ関連付けを生成する前に、ＭＳＣ／ＶＬＲとＳＧＳＮがＵＥのためのＧｓ関連付けを生成していたならば、ＳＧｓ関連付けが確立された後、ＭＳＣ／ＶＬＲは、ＵＥがＳＧｓ関連付け状態にいることを記録し、ＭＳＣ／ＶＬＲとＳＧＳＮとの間のＧｓ関連付けを解放し、ＭＳＣ／ＶＬＲは、Ｇｓ関連付けは解放状態にあることを記録する。同様に、もし、ＳＧＳＮおよびＭＳＣ／ＶＬＲがＵＥのためのＧｓ関連付けを生成する前に、ＭＳＣ／ＶＬＲとＭＭＥとが、ＳＧｓ関連付けを確立していたならば、Ｇｓ関連付けが確立された後、ＭＳＣ／ＶＬＲは、ＵＥがＧｓ関連付けにあることを記録し、ＳＧｓ関連付けを解放し、ＭＳＣ／ＶＬＲは、ＳＧｓ関連付けは解放状態にあることを記録する。
【００１７】
ＵＥは最初に、ＧＥＲＡＮ／ＵＴＲＡＮ上で連携登録手順を完了し、ＳＧＳＮおよびＭＳＣ／ＶＬＲは、ＵＥのためのＧｓ関連付けを確立する。従って、ＭＳＣ／ＶＬＲは、暗黙的ディタッチタイマを開始しない。この時、ＵＥはＥ−ＵＴＲＡＮにアクセスし、連携更新を完了し、ＩＳＲを活性化し、Ｇｓ関連付けはこの時解放される。ＭＳＣ／ＶＬＲとＭＭＥは、ＵＥのためにＳＧｓ関連付けを確立する。従って、ＭＳＣ／ＶＬＲは、暗黙的ディタッチタイマを開始しない。加えて、ＵＥはＩＳＲ活性化状態におり、アイドル状態にあるＵＥは、登録ＲＡエリアおよび登録ＴＡエリアの中に移動し、アクセスネットワークの変更によってＲＡＵまたはＴＡＵ手順は発生しない。この場合、ＭＭＥは、Ｐ−ＧＷが最後のパケットデータネットワーク（Packet  Data  Network、以下、ＰＤＮと称する）接続を削除し、すべてのベアラ・コンテクスト（bearer  contexts）削除するか、または、Ｓ−ＧＷが再開され、すべてのベアラ・コンテクストが解放されるかを決定し、そしてＭＭＥは、ディタッチ要求メッセージをＭＳＲ／ＶＬＲに送信し、ＳＧｓ関連付けを解放する。ＭＳＣ／ＶＬＲは、暗黙的ディタッチタイマを開始する。加えて、ＭＭＥはディタッチ要求メッセージをＵＥに送信する必要があり、もし、ＵＥが、この時、ＧＥＲＡＮ／ＵＴＲＡＮに留まるならば、ＵＥは、ＭＭＥによって送信されるディタッチ要求メッセージを受信することができず、そして、ＭＭＥとＭＳＣ／ＶＬＲとの間のＳＧｓ関連付けがＵＥのために再確立されることができない。ＵＥがＧＥＲＡＮ／ＵＴＲＡＮに長時間いるとき、ＭＳＣ／ＶＬＲによって保存された暗黙的ディタッチタイマがタイムアウトし得、そして、したがって、ＵＥはＭＳＣ／ＶＬＲによって暗黙的にディタッチされ得る。そして、モバイル終端サービスは届かなくなり、それによって、ユーザのサービス経験が影響を受ける。
【００１８】
このシナリオにおいて、本発明の一実施形態は、Ｇｓ関連付けを確立するための方法及びデバイスを提供する。従って、ＵＥはＭＳＣ／ＶＬＲによって暗黙的にディタッチされず、モバイル終端サービスが届かなくなるという問題が解決する。
【００１９】
本発明の第１の実施形態は、Ｇｓ関連付けを確立するための方法を提供し、図２に示されるように、該方法は、以下のステップを含む：
【００２０】
ステップ２０１：サービングＧＰＲＳサポートノードＳＧＳＮは、アイドル状態シグナリング軽減機能ＩＳＲの活性化された状態にいるユーザ装置ＵＥのＳＧｓ関連付けが解放されたと決定する。
【００２１】
オプション的に、ＳＧＳＮが、サービングゲートウェイＳ−ＧＷからベアラ削除要求メッセージを受信するか、または、Ｓ−ＧＷが再開したと決定したとき、ＳＧｓ関連付けが解放されたと決定される。そして、それは、具体的に以下のことを含む：ＳＧＳＮは、すべてのベアラ・コンテクストが解放され、ＩＳＲ活性化状態にあるＵＥが、進化パケットシステム・モビリティ管理連携手順ＥＭＭ連携手順能力を持つと決定する。すなわち、ＳＧｓ関連付けが解放されたと決定する。
【００２２】
オプション的に、ＳＧＳＮが、モビリティ管理エンティティＭＭＥからディタッチ通知メッセージを受信するとき、ＳＧｓ関連付けが解放されたと決定される。これは、具体的には、ＳＧＳＮは、ＩＳＲ活性化状態にあるＵＥが、進化パケットシステム・モビリティ管理連携手順ＥＭＭ連携手順能力を持つと決定する。すなわち、ＳＧｓ関連付けが解放されたと決定する。
【００２３】
具体的には、ＭＭＥが、サービング・ゲートウェイＳ−ＧＷから送信されたベアラ削除要求を受信し、ＳＧｓ関連付けを解放するとき、または、ＭＭＥが、Ｓ−ＧＷが再スタートし、ＳＧｓ関連付けが解放されたと決定するとき、ＳＧＳＮは、ＭＭＥからディタッチ通知メッセージを受信する。
【００２４】
オプション的に、ＭＭＥから受信するディタッチ通知メッセージは、ＳＧｓ関連付けが解放されたことを示す伝送情報をさらに含む。
【００２５】
さらに、オプション的に、ＵＥが、ＧＥＲＡＮ／ＵＴＲＡＮ（ＧＳＭ（登録商標）進化無線アクセスネットワークのためのＧＳＭ（登録商標）拡張データレート／進化ユニバーサル移動通信システム領土無線アクセスネットワーク）上でアタッチまたはルーティング・エリア更新を開始するとき、ＵＥがＥＭＭ連携手順能力を持つという情報が、ＵＥによってＳＧＳＮのために提供される。
【００２６】
ステップ２０２：ＳＧＳＮとＭＳＣ／ＶＬＲがＵＥのためのＧｓ関連付けを確立できるように、ＳＧＳＮは、ロケーション更新要求を、移動交換センター／ビジター位置登録装置ＭＳＣ／ＶＬＲに送信する。
【００２７】
オプション的に、ＳＧＳＮがロケーション更新要求をＭＳＣ／ＶＬＲに送信する前に、該方法は、ＳＧＳＮが、ディタッチ要求メッセージをＵＥに送信し、ＵＥが連携登録手順を開始できるようにするステップをさらに含む。
【００２８】
オプション的に、ＵＥが連携登録手順を開始できるように、ＳＧＳＮによってＵＥに送信されるディタッチ要求メッセージのタイプ表示は、国際移動電話加入者識別番号ディタッチメントである。
【００２９】
オプション的に、ＵＥがアイドル状態にいるとき、ディタッチ要求メッセージをＵＥに送信する前に、ＳＧＳＮは、呼出しメッセージ（paging  message）をＵＥに送信することにより、ＵＥの状態が接続状態に切り換わり、ＵＥが、ＳＧＳＮによって送信されるディタッチ要求メッセージを受信できるようにする。
【００３０】
本発明の第１の実施形態において提供されるＧｓ関連付けを確立するための方法によって、ＵＥがＩＳＲ活性化状態にあるとき、そして、ＳＧｓ関連付けが解放された後、Ｇｓ関連付けがＵＥのために間に合うように確立され、したがって、ＵＥは、ＭＳＣ／ＶＬＲによって暗黙的にディタッチされず、ＵＥのモバイル終端サービスは影響を受けず、これによって、ユーザのサービス経験が拡張される。
【００３１】
本発明の第２の実施形態は、Ｇｓ関連付けを確立するための方法を提供する。その具体的なステップは、以下を含む。
【００３２】
ステップ３００：ＵＥは、ＧＥＲＡＮ／ＵＴＲＡＮ上で連携登録手順を完了する。
【００３３】
ＵＥはアタッチ要求（Attach  Request）メッセージをSGSNに送信する、ここで、該メッセージで運ばれるセル・アタッチ・タイプ（Attach  Type）は、連携アタッチ（Combined  Attach）に設定される。該アタッチは連携アタッチなので、ＳＧＳＮは、ロケーション更新要求をＭＳＣ／ＶＬＲに送信し、ＭＳＣ／ＶＬＲは、ロケーション更新受入れを返し、ＳＧＳＮとＭＳＣ／ＶＬＲは、ＵＥのためのＧｓ関連付けを確立する。このとき、ＭＳＣ／ＶＬＲは、暗黙的ディタッチタイマを開始しない。ＳＧＳＮは、アタッチ受入れ（Attach  Accept）メッセージをＵＥに返し、連携アタッチが完了する。ＳＧＳＮは、ＵＥがＥＭＭ連携手順能力を持つという情報を取得する。ＳＧＳＮはまた、ＵＥルーティングエリアが更新されるときに、ＵＥがＥＭＭ連携手順能力を持つという情報を取得し得る。
【００３４】
ステップ３０１：ＵＥはＥ−ＵＴＲＡＮに移動する。
【００３５】
ステップ３０２：ＵＥは、連携更新手順を完了し、ＩＳＲを活性化する。
【００３６】
ＵＥはＴＡＵ要求メッセージをＭＭＥに送信する。ここで、メッセージ内で伝送されるセル更新タイプは、連携ＴＡ／ＬＡ更新に設定されている。連携更新手順なので、ＭＭＥは、ロケーション更新要求をＭＳＣ／ＶＬＲに送信し、ＭＳＣ／ＶＬＲは、ロケーション更新受入れをＭＭＥに返し、ＭＳＣ／ＶＬＲとＭＭＥは、ＵＥのためにＳＧｓ関連付けを確立し、ステップ３００におけるＳＧＳＮとＭＳＣ／ＶＬＲとの間のＧｓ関連付けは解放され、ＭＳＣ／ＶＬＲは、暗黙的ディタッチタイマを開始しない。ＭＭＥは、ＴＡＵ受入れメッセージをＵＥに返す。ここで、メッセージはセルＩＳＲ活性化を伝送し、それは、ＵＥにＩＳＲを活性化することを通知し、これによって、連携更新手順は完了する。
【００３７】
ステップ３０３：ＵＥはＧＥＲＡＮ／ＵＴＲＡＮに移動し、ＧＥＲＡＮ／ＵＴＲＡＮに留まる。
【００３８】
ステップ３０４：Ｐ−ＧＷは、すべてのベアラ・コンテクストを削除するように、最後のＰＤＮ接続解放手順を開始する。このとき、Ｐ−ＧＷは、ベアラ削除要求メッセージをＳ−ＧＷに送信する。この実施形態において、Ｐ−ＧＷによってＳ−ＧＷに送信されるベアラ削除要求メッセージは、具体的には、ベアラ削除要求（Delete  Bearer  Request）メッセージである。
【００３９】
ステップ３０５ａおよび３０５ｂ：ＩＳＲ活性化シナリオにおいて、Ｓ−ＧＷは、ＵＥにサービスを提供するＳＧＳＮとＭＭＥの情報を同時に保存する。従って、ステップ３０４においてＰ−ＧＷから送信されたベアラ削除要求メッセージを受信後、Ｓ−ＧＷは、ベアラ削除要求メッセージをＭＭＥとＳＧＳＮに送信し得る。この実施形態において、Ｓ−ＧＷによって送信されるベアラ削除要求メッセージは、ベアラ削除要求（Delete  Bearer  Request）メッセージであり、ステップ３０５ａにおいて、ＭＭＥは、最後のＰＤＮ接続が解放されたことを通知され、そして、ステップ３０５ｂにおいて、ＳＧＳＮは、最後のＰＤＮ接続が解放されたことを通知される、すなわち、すべてのベアラ・コンテクストが解放される。
【００４０】
ステップ３０５ａと３０５ｂとの間には時間の順序は無い。
【００４１】
ステップ３０６：ステップ３０５ａにおいてＳ−ＧＷによって送信されたベアラ削除要求メッセージを受信後、ＭＭＥは、最後のＰＤＮ接続が解放されたことを決定し、そして、ＭＭＥは、ディタッチ要求メッセージをＭＳＣ／ＶＬＲに送信する。ここで、該ディタッチ要求メッセージは、ＭＳＣ／ＶＬＲがＳＧｓ関連付けを解放し、暗黙的ディタッチタイマを開始するように、ＳＧｓＡＰ−ＥＰＳ−ＤＥＴＡＣＨ−ＩＮＤＩＣＡＴＩＯＮであり得る。
【００４２】
ステップ３０７：もし、ＳＧＳＮがＳ−ＧＷから送信されたベアラ削除要求メッセージを受信し、該メッセージが、具体的に、この実施形態におけるベアラ削除要求（Delete  Bearer  Request）メッセージであるならば、ＳＧＳＮは、すべてのベアラ・コンテクストが削除され、ＩＳＲ活性化状態にあるＵＥがＥＭＭ連携手順能力を持つことを決定する。すなわち、ＳＧｓ関連付けが解放されたと決定し、ディタッチ要求メッセージをＵＥに送信する。オプション的に、ディタッチ要求メッセージのタイプ表示は、ＵＥが連携登録手順を開始するように、国際移動電話加入者識別番号ディタッチメントである。この実施形態において、ディタッチ要求メッセージはディタッチ要求メッセージ（Detach  Request  message）である。もし、ＵＥがアイドル状態にいるならば、このステップを実行する前に、ＳＧＳＮが呼出しメッセージをまずＵＥに送信し、そして呼出しメッセージを受信後、ＵＥがアイドル状態から接続状態に切り換えられるようにＵＥは、パケットデータユニットＰＤＵまたはサービス要求（Service  Request）メッセージをＳＧＳＮに返す。そして、ＵＥは、ＳＧＳＮによって送信されたディタッチ要求メッセージを受信し得る。
【００４３】
ステップ３０８：ディタッチ要求メッセージを受信後、ＵＥは、ディタッチ受入れメッセージをＳＧＳＮに返し、ＵＥは連携登録を開始する。この実施形態において、ＵＥによって返されるディタッチ受入れメッセージは、ディタッチ応答メッセージ（Detach  Response  message）である。
【００４４】
ステップ３０９：ＳＧＳＮは、ロケーション更新要求をＭＳＣ／ＶＬＲに送信する。この実施形態において、ロケーション更新要求は、ロケーション更新要求（Location  Update  Request）である。
【００４５】
ステップ３１０：ＭＳＣ／ＶＬＲは、ロケーション更新受入れをＳＧＳＮに返す。この実施形態において、ＭＳＣ／ＶＬＲによってＳＧＳＮに返されるロケーション更新受入れは、ロケーション更新ＡＣＫ（Location Update Ack）である。
【００４６】
ステップ３１１：ＳＧＳＮおよびＭＳＣ／ＶＬＲは、ＵＥのためのＧｓ関連付けを確立する。
【００４７】
本発明の第２の実施形態におけるステップ３０４について、すなわち、Ｐ−ＧＷが最後のＰＤＮ接続を削除し、次にすべてのベアラ・コンテクストが解放される場合において、後続のステップが起動される。本発明の他の実施形態において、ステップ３０３の後、Ｓ−ＧＷが再スタートされるシナリオについて、Ｓ−ＧＷが再スタートしたとＳＧＳＮが決定するとき、ＳＧＳＮは、すべてのベアラ・コンテクストが削除され、ＩＳＲ活性化状態にあるＵＥがＥＭＭ連携手順能力を持つと決定する、すなわち、ＳＧｓ関連付けが解放されたと決定する、そして、ディタッチ要求メッセージがＵＥに送信される。オプション的に、ディタッチ要求メッセージのタイプ表示は国際移動電話加入者識別番号ディタッチメントであり、そのため、ＵＥは、連携登録手順を開始する。この実施形態において、ディタッチ要求メッセージは、ディタッチ要求メッセージ（Detach  Request  message）である。もし、ＵＥがアイドル状態にいるならば、このステップを実行する前に、ＳＧＳＮは呼出しメッセージをＵＥにまず送信する。そして、呼出しメッセージを受信後、ＵＥは、パケットデータユニットＰＤＵまたはサービス要求（Service  Request）メッセージをＳＧＳＮに送信し、ＵＥがアイドル状態から接続状態に切り換えるようにする。そして、ＵＥは、ＳＧＳＮによって送信されたディタッチ要求メッセージを受信し得る。第２の実施形態において、後続のステップは、ステップ３０８、３０９、３１０および３１１と同様であり、ここでは再度説明されない。
【００４８】
本発明のこの実施形態において、上述のシナリオの中で、ＭＭＥとＭＳＣ／ＶＬＲとの間のＳＧｓ関連付けの解放後、ＳＧＳＮとＭＳＣ／ＶＬＲとの間のＧｓ関連付けがＵＥのために正確に間に合って確立される。これによって、ＭＳＣ／ＶＬＲが、暗黙的にＵＥをディタッチするための暗黙的ディタッチタイマを開始し、モバイル終端サービスが届かなくなる、という問題を効果的に解決する。
【００４９】
本発明の第３の実施形態は、Ｇｓ関連付けを確立するための方法を提供する。そして、図４に示されるように、以下の具体的なステップを含む。
【００５０】
ステップ４００：ＵＥは、ＧＥＲＡＮ／ＵＴＲＡＮ上で連携登録手順を完了する。
【００５１】
ＵＥは、アタッチ要求（Attach  Request）メッセージをＳＧＳＮに送信する。ここで、該メッセージで運ばれるセルアタッチタイプ（Attach  Type）は、連携アタッチ（Combined  Attach）に設定される。該アタッチは連携アタッチなので、ＳＧＳＮは、ロケーション更新要求をＭＳＣ／ＶＬＲに送信し、ＭＳＣ／ＶＬＲは、ロケーション更新受入れを返し、ＳＧＳＮとＭＳＣ／ＶＬＲとは、ＵＥのためのＧｓ関連付けを確立する。このとき、ＭＳＣ／ＶＬＲは、暗黙的ディタッチタイマを開始しない。ＳＧＳＮはアタッチ受入れ（Attach  Accept）メッセージをUEに返し、連携アタッチは完了する。ＳＧＳＮは、ＵＥがＥＭＭ連携手順能力を持つという情報を取得する。ＳＧＳＮはまた、ＵＥのルーティングエリアが更新されるときに、ＵＥがＥＭＭ連携手順能力を持つという情報を取得し得る。
【００５２】
ステップ４０１：ＵＥはＥ−ＵＴＲＡＮに移動する。
【００５３】
ステップ４０２：ＵＥは、連携更新手順を完了し、ＩＳＲを活性化する。
【００５４】
ＵＥは、ＴＡＵ要求メッセージをＭＭＥに送信する。ここで該メッセージで運ばれるセル更新タイプ（Update  Type）は、連携ＴＡ／ＬＡ更新（Combined  ＴＡ／ＬＡ更新）に設定される。連携更新手順であるから、ＭＭＥは、ロケーション更新要求をＭＳＣ／ＶＬＲに送信する。ＭＳＣ／ＶＬＲは、ロケーション更新受入れをＭＭＥに返し、ＭＳＣ／ＶＬＲとＭＭＥは、ＵＥのためにＳＧｓ関連付けを確立する。ステップ４００におけるＳＧＳＮとＭＳＣ／ＶＬＲとの間のＧｓ関連付けは解放される。そして、ＭＳＣ／ＶＬＲは、暗黙的ディタッチタイマを開始しない。ＭＭＥは、ＴＡＵ受入れメッセージをＵＥに返す。ここで、該メッセージはセルＩＳＲ活性化を運び、それは、ＵＥにＩＳＲの活性化を通知するために使用され、それによって、連携更新手順を完了する。
【００５５】
ステップ４０３：ＵＥはＧＥＲＡＮ／ＵＴＲＡＮに移動し、ＧＥＲＡＮ／ＵＴＲＡＮに留まる。
【００５６】
ステップ４０４：Ｐ−ＧＷは、すべてのベアラ・コンテクストを削除するように、最後のＰＤＮ接続解放手順を開始する。このとき、Ｐ−ＧＷは、ベアラ削除要求メッセージをＳ−ＧＷに送信する。この実施形態において、Ｐ−ＧＷによってＳ−ＧＷに送信されるベアラ削除要求メッセージは、具体的には、ベアラ削除要求（Delete  Bearer  Request）メッセージである。
【００５７】
ステップ４０５ａおよび４０５ｂ：ＩＳＲ活性化シナリオにおいて、Ｓ−ＧＷは、ＵＥにサービスするＳＧＳＮおよびＭＭＥの情報を、同時に保存する。したがって、ステップ４０４においてＰ−ＧＷによって送信されたベアラ削除要求（Delete  Bearer  Request）メッセージを受信後、Ｓ−ＧＷは、ベアラ削除要求メッセージをＭＭＥおよびＳＧＳＮに送信し得る。この実施形態において、Ｓ−ＧＷによって送信されるベアラ削除要求メッセージは、ベアラ削除要求（Delete  Bearer  Request）メッセージであり、ステップ４０５ａにおいて、ＭＭＥは、最後のＰＤＮ接続が解放されたことを通知され、ステップ４０５ｂにおいて、ＳＧＳＮは、最後のＰＤＮ接続が解放された、すなわち、すべてのベアラ・コンテクストが解放されたことを通知される。
【００５８】
ステップ４０５ａと４０５ｂとの間には時間の順序は無い。
【００５９】
ステップ４０６：ステップ４０５ａにおいてＳ−ＧＷによって送信されたベアラ削除要求（Delete  Bearer  Request）メッセージを受信後、ＭＭＥは、最後のＰＤＮ接続が解放されたと決定し、ＭＭＥは、ディタッチ要求メッセージをＭＳＣ／ＶＬＲに送信する。ここで、ディタッチ要求メッセージは、ＭＳＣ／ＶＬＲがＳＧｓ関連付けを解放し、暗黙的ディタッチタイマを開始するように、ＳＧｓＡＰ−ＥＰＳ−ＤＥＴＡＣＨ−ＩＮＤＩＣＡＴＩＯＮであり得る。
【００６０】
ステップ４０７：ＳＧＳＮは、Ｓ−ＧＷによって送信されたベアラ削除要求メッセージを受信する。ここで、この実施形態において、該メッセージは、具体的には、ベアラ削除要求（Delete  Bearer  Request）メッセージであり、ＳＧＳＮは、すべてのベアラ・コンテクストが削除され、ＩＳＲ活性化状態にあるＵＥがＥＭＭ連携手順能力を持つと決定する、すなわち、ＳＧｓ関連付けが解放されたと決定する。そして、ＳＧＳＮは、ロケーション更新要求をＭＳＣ／ＶＬＲに送信する。この実施形態において、ロケーション更新要求は、ロケーション更新要求（Location  Update  Request）である。
【００６１】
ステップ４０８：ＭＳＣ／ＶＬＲは、ロケーション更新受入れをＳＧＳＮに返す。この実施形態において、ＭＳＣ／ＶＬＲによってＳＧＳＮに返されるロケーション更新受入れは、ロケーション更新Ａｃｋ（Location  Update  Ack）である。
【００６２】
ステップ４０９：ＳＧＳＮとＭＳＣ／ＶＬＲは、ＵＥのためのＧｓ関連付けを確立する。
【００６３】
本発明の第３の実施形態におけるステップ４０４について、すなわち、Ｐ−ＧＷが最後のＰＤＮ接続を削除し、そして、全てのベアラ・コンテクストが解放される場合、後続のステップが起動される。本発明の他の実施形態において、ステップ４０３の後、Ｓ−ＧＷが再スタートされるシナリオについて、Ｓ−ＧＷが再スタートしたとＳＧＳＮが決定するとき、ＳＧＳＮは、すべてのベアラ・コンテクストは削除され、ＩＳＲ活性化状態にいるＵＥはＥＭＭ連携手順能力を持つと決定する、すなわち、ＳＧｓ関連付けが解放されたと決定し、ロケーション更新要求がＭＳＣ／ＶＬＲに送信される。後続のステップは、第３の実施形態におけるステップ４０８および４０９と同様であり、ここでは再度説明されない。
【００６４】
本発明のこの実施形態において、上述のシナリオにおいて、ＭＭＥとＭＳＣ／ＶＬＲとの間のＳＧｓ関連付けの解放後、ネットワーク側は、ＳＧＳＮとＭＳＣ／ＶＬＲとの間にＵＥのためのＧｓ関連付けを間に合うように確立する。それによって、シグナリング相互作用手順を削減し、ＭＳＣ／ＶＬＲが、ＵＥを暗黙的にディタッチするための暗黙的ディタッチタイマを開始し、そして、モバイル終端サービスが届かなくなるという問題を効果的に解決する。
【００６５】
本発明の第４の実施形態は、Ｇｓ関連付けを確立するための方法を提供する。そして、図５に示されるように、具体的には、以下のステップを含む。
【００６６】
ステップ５００：ＵＥは、ＧＥＲＡＮ／ＵＴＲＡＮ上で連携登録手順を完了する。
【００６７】
ＵＥは、アタッチ要求（Attach  Request）メッセージをＳＧＳＮに送信する。ここで、該メッセージで運ばれるセルアタッチタイプ（Attach  Type）は、連携アタッチ（Combined  Attach）に設定される。該アタッチは連携アタッチなので、ＳＧＳＮは、ロケーション更新要求をＭＳＣ／ＶＬＲに送信し、ＭＳＣ／ＶＬＲは、ロケーション更新受入れを返す。そして、ＳＧＳＮとＭＳＣ／ＶＬＲは、ＵＥのためのＧｓ関連付けを確立する。このとき、ＭＳＣ／ＶＬＲは、暗黙的ディタッチタイマを開始しない。ＳＧＳＮは、アタッチ受入れ（Attach  Accept）メッセージをＵＥに返し、そして、連携アタッチは完了する。ＳＧＳＮは、ＵＥがＥＭＭ連携手順能力を持つという情報を取得する。ＳＧＳＮはまた、ＵＥルーティングエリアが更新されるとき、ＵＥがＥＭＭ連携手順能力を持つという情報を取得し得る。
【００６８】
ステップ５０１：ＵＥは、Ｅ−ＵＴＲＡＮに移動する。
【００６９】
ステップ５０２：ＵＥは、連携更新手順を完了し、ＩＳＲを活性化する。
【００７０】
ＵＥは、ＴＡＵ要求メッセージをＭＭＥに送信する。ここで、該メッセージで運ばれるセル更新タイプは、連携ＴＡ／ＬＡ更新に設定される。連携更新手順であるので、ＭＭＥは、ロケーション更新要求をＭＳＣ／ＶＬＲに送信する。ＭＳＣ／ＶＬＲはロケーション更新受入れをＭＭＥに返す。ＭＳＣ／ＶＬＲおよびＭＭＥは、ＵＥのためにＳＧｓ関連付けを確立する。ステップ５００におけるＳＧＳＮとＭＳＣ／ＶＬＲとの間のＧｓ関連付けは解放される。そして、ＭＳＣ／ＶＬＲは、暗黙的ディタッチタイマを開始しない。ＭＭＥは、ＴＡＵ受入れメッセージをＵＥに返す。ここで、該メッセージは、セルＩＳＲ活性化を運ぶ。これは、ＵＥにＩＳＲの活性化を通知するのに使用される。それによって、連携更新手順が完了する。
【００７１】
ステップ５０３：ＵＥは、ＧＥＲＡＮ／ＵＴＲＡＮに移動し、ＧＥＲＡＮ／ＵＴＲＡＮに留まる。
【００７２】
ステップ５０４：ＵＥは、ＧＥＲＡＮ／ＵＴＲＡＮ上でパケットデータプロトコル（Packet  Data  Protocol、以下ＰＤＰと称する）を再活性化する。
【００７３】
ステップ５０５：Ｐ−ＧＷは、ＰＤＮ接続解放手順を開始し、Ｐ−ＧＷは、ベアラ削除要求メッセージをＳ−ＧＷに送信する。この実施形態において、Ｐ−ＧＷによってＳ−ＧＷに送信されるベアラ削除要求メッセージは、ベアラ削除要求（Delete  Bearer  Request）メッセージである。
【００７４】
ステップ５０６：ＩＳＲ活性化シナリオにおいて、Ｓ−ＧＷは、ＵＥにサービスするＭＭＥの情報を保存する。したがって、ステップ５０５においてＰ−ＧＷによって送信されたベアラ削除要求（Delete  Bearer  Request）メッセージをＳ−ＧＷが受信後、Ｓ−ＧＷは、ベアラ削除要求メッセージをＭＭＥに送信し得る。この実施形態において、Ｓ−ＧＷによって送信されるベアラ削除要求メッセージは、ベアラ削除要求（Delete  Bearer  Request）メッセージであり、最後のＰＤＮ接続が解放されたことをＭＭＥに通知する。
【００７５】
ステップ５０７：ステップ５０６においてＳ−ＧＷによって送信されたベアラ削除要求（Delete  Bearer  Request）メッセージを受信後、ＭＭＥは、最後のＰＤＮ接続が解放されたと決定する。そして、ＭＭＥは、ディタッチ要求メッセージをＭＳＣ／ＶＬＲに送信する。ここで、該ディタッチ要求メッセージは、ＭＳＣ／ＶＬＲがＳＧｓ関連付けを解放し、暗黙的ディタッチタイマを開始できるように、ＳＧｓＡＰ−ＥＰＳ−ＤＥＴＡＣＨ−ＩＮＤＩＣＡＴＩＯＮであり得る。
【００７６】
ステップ５０８：ＭＭＥは、ディタッチ通知メッセージをＳＧＳＮに送信し、ＳＧｓ関連付けが解放されたことをＳＧＳＮに通知する。ここで、ディタッチ通知メッセージはさらに、ＳＧｓ関連付けが解放されたこと、すなわち、ＳＧｓ関連付けがアソシエーション状態から解放状態に切り換わったことを示すために使用される情報を運び得る。この実施形態において、ＭＭＥによってＳＧＳＮに送信されるディタッチ通知メッセージは、ディタッチ通知（Detach  Notification）である。
【００７７】
ステップ５０９：ＭＭＥによって送信されたディタッチ通知メッセージ、すなわち、この実施形態におけるディタッチ通知（Detach  Notification）、をＳＧＳＮが受信後、ＳＧＳＮは、ＩＳＲ活性化状態にあるＵＥが、進化パケットシステムモビリティ管理連携手順ＥＭＭ連携手順能力を持つと決定する、すなわち、ＳＧｓ関連付けが解放されたと決定する。ＳＧＳＮは、ディタッチ要求メッセージをＵＥに送信する。ここで、ＵＥが連携登録手順を開始できるように、ディタッチ要求メッセージのタイプ表示は、国際移動電話加入者識別番号ディタッチメントであり得る。この実施形態において、ＳＧＳＮからＵＥに送信されるディタッチ要求メッセージは、具体的には、ディタッチ要求（Detach  Request）メッセージである。もし、ＵＥがアイドル状態にいるならば、このステップを実行する前に、ＳＧＳＮは、呼出しメッセージをＵＥにまず送信し、そして、該呼出しメッセージを受信後、ＵＥは、ＵＥがアイドル状態から接続状態に切り換わり、そして、ＵＥがＳＧＳＮによって送信されたディタッチ要求（Detach  Request）メッセージを受信し得るように、パケットデータユニットＰＤＵ、または、サービス要求（Service  Request)メッセージをＳＧＳＮに返す。
【００７８】
ステップ５１０：ＵＥがディタッチ要求（Detach  Request）メッセージを受信後、ＵＥは、ディタッチ受入れメッセージをＳＧＳＮに返し、連携登録を開始する。この実施形態において、ＵＥによって返されるディタッチ受入れメッセージは、具体的には、ディタッチ応答（Detach  Response）メッセージである。
【００７９】
ステップ５１１：ＳＧＳＮは、ロケーション更新要求をＭＳＣ／ＶＬＲに送信する。この実施形態において、ロケーション更新要求は、具体的には、ロケーション更新要求（Location  Update  Request）であり得る。
【００８０】
ステップ５１２：ＭＳＣ／ＶＬＲは、ロケーション更新受入れをＳＧＳＮに返す。この実施形態において、ＭＳＣ／ＶＬＲによってＳＧＳＮに返されるロケーション更新受入れは、ロケーション更新Ａｃｋ（Location  Update  Ack）である。
【００８１】
ステップ５１３：ＳＧＳＮおよびＭＳＣ／ＶＬＲは、ＵＥのためのＧｓ関連付けを確立する。
【００８２】
本発明の第４の実施形態におけるステップ５０５について、すなわち、Ｐ−ＧＷがＰＤＮ接続解放手順を開始する場合、後続のステップが起動される。本発明の他の実施形態において、ステップ５０４の後、Ｓ−ＧＷが再スタートしたシナリオについて、Ｓ−ＧＷが再スタートしたとＭＭＥが決定する時、ＭＭＥは、ディタッチ要求メッセージをＭＳＣ／ＶＬＲに送信する。ここで、ＭＳＣ／ＶＬＲがＳＧｓ関連付けを解放し、そして暗黙的ディタッチタイマを開始するように、ディタッチ要求メッセージは、ＳＧｓＡＰ−ＥＰＳ−ＤＥＴＡＣＨ−ＩＮＤＩＣＡＴＩＯＮであり得る。後続のステップは、第４の実施形態におけるステップ５０８、５０９、５１０、５１１および５１２と同様であり、ここで再度説明されない。
【００８３】
本発明のこの実施形態において、上述のシナリオにおいて、ＭＭＥとＭＳＣ／ＶＬＲとの間のＳＧｓ関連付けが解放された後、ＳＧＳＮとＭＭＥのベアラがシンクロナス（synchronous）でない場合、ＳＧＳＮとＭＳＣ／ＶＬＲとの間のＧｓ関連付けがＵＥのために正確に間に合うように確立される。それによって、ＭＳＣ／ＶＬＲが、ＵＥを暗黙的にディタッチするための暗黙的ディタッチタイマを開始し、そして、モバイル終端サービスが届かなくなるという問題を効果的に解決する。
【００８４】
本発明の第５の実施形態は、Ｇｓ関連付けを確立するための方法を提供する。そして、図６に示されるように、具体的に以下のステップを含む。
【００８５】
ステップ６００：ＵＥはＧＥＲＡＮ／ＵＴＲＡＮ上で連携登録手順を完了する。
【００８６】
ＵＥはアタッチ要求（Attach  Request）メッセージをＳＧＳＮに送信する。ここで、該メッセージにおいて運ばれるセルアタッチタイプ（Attach  Type）は連携アタッチ（Combined  Attach）に設定される。該アタッチは連携アタッチなので、ＳＧＳＮは、ロケーション更新要求をＭＳＣ／ＶＬＲに送信し、ＭＳＣ／ＶＬＲは、ロケーション更新受入れを返し、ＳＧＳＮとＭＳＣ／ＶＬＲは、ＵＥのためのＧｓ関連付けを確立する。このとき、ＭＳＣ／ＶＬＲは、暗黙的ディタッチタイマを開始しない。ＳＧＳＮは、アタッチ受入れ（Attach  Accept）メッセージをUEに返し、そして連携アタッチが完了する。ＳＧＳＮは、ＵＥがＥＭＭ連携手順能力を持つという情報を取得する。ＳＧＳＮはまた、ＵＥルーティングエリアが更新されるときに、ＵＥがＥＭＭ連携手順能力を持つという情報を取得し得る。
【００８７】
ステップ６０１：ＵＥはＥ−ＵＴＲＡＮに移動する。
【００８８】
ステップ６０２：ＵＥは連携更新手順を完了し、ＩＳＲを活性化する。
【００８９】
ＵＥは、ＴＡＵ要求メッセージをＭＭＥに送信する。ここで、該メッセージで運ばれるセル更新タイプは、連携ＴＡ／ＬＡ更新に設定される。連携更新手順なので、ＭＭＥは、ロケーション更新要求をＭＳＣ／ＶＬＲに送信し、ＭＳＣ／ＶＬＲは、ロケーション更新受入れをＭＭＥに返し、ＭＳＣ／ＶＬＲとＭＭＥは、ＵＥのためにＳＧｓ関連付けを確立し、ステップ６００におけるＳＧＳＮとＭＳＣ／ＶＬＲとの間のＧｓ関連付けは解放され、そして、ＭＳＣ／ＶＬＲは、暗黙的ディタッチタイマを開始しない。ＭＭＥは、ＴＡＵ受入れメッセージをＵＥに返す。ここで、該メッセージはセルＩＳＲ活性化を運んでおり、それは、ＵＥにＩＳＲを活性化することを通知するために使用される。それによって、連携更新手順を完了する。
【００９０】
ステップ６０３：ＵＥはＧＥＲＡＮ／ＵＴＲＡＮに移動し、ＧＥＲＡＮ／ＵＴＲＡＮに留まる。
【００９１】
ステップ６０４：ＵＥは、ＧＥＲＡＮ／ＵＴＲＡＮ上でＰＤＰを再活性化する。
【００９２】
ステップ６０５：Ｐ−ＧＷは、ＰＤＮ接続解放手順を開始し、Ｐ−ＧＷは、ベアラ削除要求メッセージをＳ−ＧＷに送信する。この実施形態において、Ｐ−ＧＷによってＳ−ＧＷに送信されるベアラ削除要求メッセージは、ベアラ削除要求（Delete  Bearer  Request）メッセージである。
【００９３】
ステップ６０６：ＩＳＲ活性化シナリオにおいて、Ｓ−ＧＷは、ＵＥにサービスするＭＭＥの情報を保存する。したがって、ステップ６０５においてＰ−ＧＷによって送信されたベアラ削除要求（Delete  Bearer  Request）メッセージをＳ−ＧＷが受信後、Ｓ−ＧＷは、ベアラ削除要求メッセージをＭＭＥに送信し得る。この実施形態において、Ｓ−ＧＷによって送信されるベアラ削除要求メッセージは、ベアラ削除要求（Delete  Bearer  Request）メッセージであり、最後のＰＤＮ接続が解放されたことをＭＭＥに通知する。
【００９４】
ステップ６０７：ステップ６０６において、Ｓ−ＧＷによって送信されたベアラ削除要求（Delete  Bearer  Request）メッセージを受信後、ＭＭＥは、最後のＰＤＮ接続が解放されたことを決定する。そして、ＭＭＥは、ディタッチ要求メッセージをＭＳＣ／ＶＬＲに送信する。ここで、ＭＳＣ／ＶＬＲがＳＧｓ関連付けを解放し、そして、暗黙的ディタッチタイマを開始するように、ベアラ削除要求メッセージは、ＳＧｓＡＰ−ＥＰＳ−ＤＥＴＡＣＨ−ＩＮＤＩＣＡＴＩＯＮであり得る。
【００９５】
ステップ６０８：ＭＭＥは、ディタッチ通知メッセージをＳＧＳＮに送信し、ＳＧｓ関連付けが解放されたことをＳＧＳＮに通知する。ここで、ディタッチ通知メッセージはさらに、ＳＧｓ関連付けが解放されたこと、すなわち、ＳＧｓ関連付けがアソシエート状態から解放状態に切り換わったこと、を示すために使用される情報を運び得る。この実施形態において、ＭＭＥによってＳＧＳＮに送信されるディタッチ通知メッセージは、ディタッチ通知（Detach  Notification）である。
【００９６】
ステップ６０９：ＭＭＥによって送信されたディタッチ通知メッセージをＳＧＳＮが受信した後、ここで、この実施形態においてディタッチ通知メッセージは具体的にディタッチ通知（Detach  Notification）であるが、ＳＧＳＮは、ＩＳＲ活性化状態にあるＵＥが、進化パケットシステムモビリティ管理連携手順ＥＭＭ連携手順能力を持つと決定する、すなわち、ＳＧｓあっそしエーションが解放されたと決定する。ＳＧＳＮは、ロケーション更新要求をＭＳＣ／ＶＬＲに送信する。この実施形態において、ロケーション更新要求は、具体的にロケーション更新要求（Location  Update  Request）であり得る。
【００９７】
ステップ６１０：ＭＳＣ／ＶＬＲは、ロケーション更新受入れをＳＧＳＮに返す。この実施形態において、ＭＳＣ／ＶＬＲによってＳＧＳＮに返されるロケーション更新受入れは、ロケーション更新Ａｃｋ（Location  Update  Ack）である。
【００９８】
ステップ６１１：ＳＧＳＮとＭＳＣ／ＶＬＲは、ＵＥのためのＧｓ関連付けを確立する。
【００９９】
本発明の第５の実施形態におけるステップ６０５について、すなわち、Ｐ−ＧＷがＰＤＮ接続解放手順を開始する場合、後続のステップが起動される。本発明の他の実施形態において、ステップ６０４の後、Ｓ−ＧＷが再スタートする場合のシナリオについて、Ｓ−ＧＷが再スタートしたとＭＭＥが決定するとき、ＭＭＥは、ディタッチ要求メッセージをＭＳＣ／ＶＬＲに送信する。ここで、ＭＳＣ／ＶＬＲがＳＧｓ関連付けを解放し、暗黙的ディタッチタイマを開始するように、ディタッチ要求メッセージは、ＳＧｓ ＡＰ−ＥＰＳ−ＤＥＴＡＣＨ−ＩＮＤＩＣＡＴＩＯＮであり得る。後続のステップは、第５の実施形態におけるステップ６０８、６０９、６１０および６１１と同様であり、再度説明されない。
【０１００】
本発明のこの実施形態において、上述のシナリオにおいて、ＭＭＥとＭＳＣ／ＶＬＲとの間のＳＧｓ関連付けが解放された後、ＳＧＳＮとＭＭＥのベアラがシンクロナス（synchronous）でない場合、ネットワーク側は、ＳＧＳＮとＭＳＣ／ＶＬＲとの間にＵＥのためのＧｓ関連付けを間に合うように確立する。それによって、シグナリング相互作用手順を削減し、ＭＳＣ／ＶＬＲが、ＵＥを暗黙的にディタッチするための暗黙的ディタッチタイマを開始し、そして、モバイル終端サービスが届かなくなるという問題を効果的に解決する。
【０１０１】
本発明の第６の実施形態は、ＳＧＳＮデバイスを提供する。図７に示されるように、具体的な構造は、決定ユニット７０１と送信ユニット７０２とを含む。決定ユニット７０１は、アイドル状態シグナリング削減機能ＩＳＲ活性化状態にあるユーザ装置ＵＥのＳＧｓ関連付けが解放されたことを決定するように構成されている。そして、送信ユニット７０２は、決定ユニット７０１が、ＳＧｓ関連付けが解放されたと決定するとき、ＳＧＳＮとＭＳＣ／ＶＬＲが、ＵＥのためのＧｓ関連付けを確立するように、ロケーション更新要求を、移動交換センター／ビジター位置登録装置ＭＳＣ／ＶＬＲに送信するように構成されている。
【０１０２】
ロケーション更新要求をＭＳＣ／ＶＬＲに送信する前に、送信ユニット７０２はさらに、ＵＥが連携登録手順を開始するように、ディタッチ要求メッセージをＵＥに送信するように構成され得る。ディタッチ要求メッセージを受信するＵＥが連携登録手順を開始するように、送信ユニット７０２によって送信されるディタッチ要求メッセージのタイプ表示は、国際移動電話加入者識別番号ディタッチメントであり得る。
【０１０３】
もし、ＵＥがアイドル状態にいるならば、ディタッチ要求メッセージをＵＥに送信する前に、送信ユニット７０２はさらに、呼出しメッセージをＵＥに送信するように構成される。そして、送信ユニット７０２によって送信されて呼出しメッセージを受信後、ＵＥはパケットデータユニットＰＤＵまたはサービス要求（Service  Request）メッセージをＳＧＳＮに返す。そうすることにより、ＵＥは、アイドル状態から接続状態に切り換わり、そして、ＵＥはＳＧＳＮから送信されるディタッチ要求メッセージを受信することができる。
【０１０４】
ロケーション更新要求をＭＳＣ／ＶＬＲに送信する前に、送信ユニット７０２は、ディタッチ要求メッセージをＵＥに送信するように構成される。もし、ＵＥがアイドル状態にいるならば、送信ユニット７０２は、ディタッチ要求メッセージをＵＥに送信する前に、呼出しメッセージをＵＥに送信するように構成される。これらはいずれも、該デバイスのオプション的な機能である。
【０１０５】
この実施形態において提供されるＳＧＳＮデバイスを用いることにより、ＵＥがＩＳＲ活性化状態にあり、ＳＧｓ関連付けが解放された後、Ｇｓ関連付けをＵＥのために間に合って確立することができる。したがって、ＵＥはＭＳＣ／ＶＬＲによって暗黙的にディタッチされず、そして、ＵＥのモバイル終端サービスは影響されない。それによって、ユーザのサービス経験を拡張する。
【０１０６】
本発明の第７の実施形態は、ＳＧＳＮデバイスを提供する。図８に示されるように、具体的な構造は、受信ユニット８０１、決定ユニット８０２、および、送信ユニット８０３を含む。
【０１０７】
受信ユニット８０１は、サービングゲートウェイＳ−ＧＷからベアラ削除要求メッセージを受信するように、または、サービングゲートウェイＳ−ＧＷが再スタートしたと決定するように、または、移動管理エンティティＭＭＥからディタッチ通知メッセージを受信するように、構成される。
【０１０８】
決定ユニット８０２は、アイドル状態シグナリング削減機能ＩＳＲ活性化状態にあるユーザ装置ＵＥのＳＧｓ関連付けが解放されたと決定するように構成される。
【０１０９】
送信ユニット８０３は、ＳＧｓ関連付けが解放されたと決定ユニットが決定するとき、ＭＳＣ／ＶＬＲとＳＧＳＮが、ＵＥのためのＧｓ関連付けを確立するように、ロケーション更新要求をＭＳＣ／ＶＬＲに送信するように構成される。
【０１１０】
加えて、受信ユニット８０１はさらに、ＧＳＭ進化無線アクセスネットワークのためのＧＳＭ拡張データレート／ユニバーサル移動通信システム地上波無線アクセスネットワーク、ＧＥＲＡＮ／ＵＴＲＡＮ上でＵＥが連携アタッチまたはルーティングエリア更新を開始するときにＵＥからＳＧＳＮに送信されるＥＭＭ連携手順能力の情報を受信するように構成される。
【０１１１】
受信ユニット８０１がベアラ削除要求をＳ−ＧＷから受信するとき、または、Ｓ−ＧＷが再スタートしたと決定するとき、決定ユニット８０２は、具体的には、すべてのベアラ・コンテクストは解放され、ＩＳＲ活性化状態にいるＵＥが、進化パケットシステムモビリティ管理連携手順ＥＭＭ連携手順能力を持つと決定する、すなわち、ＳＧｓ関連付けが解放されたと決定するように構成される。
【０１１２】
受信ユニット８０１がディタッチ通知メッセージをＭＭＥから受信するとき、決定ユニット８０２は、具体的には、ＩＳＲ活性化状態にいるＵＥが、進化パケットシステムモビリティ管理連携手順ＥＭＭ連携手順能力を持つと決定する、すなわち、ＳＧｓ関連付けが解放されたと決定する。
【０１１３】
ロケーション更新要求をＭＳＣ／ＶＬＲに送信する前に、送信ユニット８０３はさらに、ＵＥが連携登録手順を開始するように、ディタッチ要求メッセージをＵＥに送信するように構成されている。送信ユニット８０３によって送信されるディタッチ要求メッセージのタイプ表示は、ディタッチ要求メッセージを受信するＵＥが連携登録手順を開始するように、国際移動電話加入者識別番号ディタッチメントである。
【０１１４】
もし、ＵＥがアイドル状態にいるならば、ディタッチ要求メッセージをＵＥに送信する前に、送信ユニット８０３はさらに、ＵＥがアイドル状態から接続状態に切り換わり、そして、ＵＥがＳＧＳＮによって送信されたディタッチ要求メッセージを受信できるように、呼出しメッセージをＵＥに送信し、送信ユニット８０３によって送信された呼出しメッセージを受信後、ＵＥがパケットデータユニットＰＤＵまたはサービス要求（Service  Request）メッセージをＳＧＳＮに送信するように構成される。
【０１１５】
ロケーション更新要求をＭＳＣ／ＶＬＲに送信する前に、送信ユニット８０３は、ディタッチ要求メッセージをＵＥに送信するように構成され、もし、ＵＥがアイドル状態にいるならば、送信ユニット８０３は、ディタッチ要求メッセージをＵＥに送信する前に呼出しメッセージをＵＥに送信し、ＵＥが接続状態に切り換わるように構成される。これらの構成はいずれも装置のオプションの機能である。
【０１１６】
この実施形態において提供されるＳＧＳＮデバイスを用いると、ＵＥがＩＳＲ活性化状態にあるとき、ＳＧｓ関連付けが解放された後、ＵＥのためのＧｓ関連付けが間に合うように確立され、したがって、ＵＥは、ＭＳＣ／ＶＬＲによって暗黙的にディタッチされず、ＵＥのモバイル終端サービスが影響を受けず、それによって、ユーザのサービス経験を拡張する。
【０１１７】
当業者であれば気が付くであろうが、この明細書の中で開示された実施形態において説明された例と組み合せて、ユニットやアルゴリズムのステップは、電子機器、コンピュータソフトウェア、または、両者の連携によって実装され得る。ハードウェアとソフトウェアとの間の互換性を明確に説明するために、各例の合成およびステップは、上述の説明における機能にしたがって一般的に説明されている。これらの機能がハードウェアあるいはソフトウェアのどちらの方法で実行されるかは、特定のアプリケーションおよび技術的解決の設計制限条件に依存する。当業者は、各特定のアプリケーションのための説明された機能を実装するために異なる方法を使用し得る。そしてそのような実装は、本発明の範囲を超えるものとして考えられるべきではない。
【０１１８】
当業者であれば明確に理解するであろうが、便利で簡単な説明を目的として、上述のシステム、装置、およびユニットの詳細な作業工程については、方法の実施形態における対応する工程が参照され、本明細書において再度説明されない。
【０１１９】
本発明において提供されたいくつかの実施形態において、理解されるべきことは、開示されたシステム、装置、および方法は、他の方法で実装され得るということである。例えば、説明された装置の実施形態は単なる代表例である。例えば、ユニットの分割は単なる論理的機能分割であり、実際の実装において他の分割となり得る。例えば、複数のユニットまたは構成要素は、組合され、統合されて別のシステムになり得る。または、いくつかの特徴は無視され、または、実行されない。加えて、表示された、あるいは議論された、相互結合または直接結合または通信接続は、なんらかのインターフェイスを介して実装され得る。装置間またはユニット間の直接的な結合または通信接続は、電子的に、機械的に、または他の形で実装され得る。
【０１２０】
加えて、本発明の実施形態における機能ユニットは、統合されて１つの処理ユニットとなり得る。あるいは、ユニットのそれぞれは、物理的に単独で存在し得る。あるいは、２以上のユニットは、統合されて１ユニットとなり得る。統合されたユニットは、ハードウェアの形で実装され得る。または、ソフトウェア機能ユニットの形で実装され得る。
【０１２１】
統合されたユニットがソフトウェア機能ユニットの形で実装され、販売され、あるいは独立した製品として使用されるとき、統合されたユニットは、コンピュータ可読記憶媒体に格納され得る。そのように理解に基づいて、本発明の技術的解決は本質的に、あるいは先行技術に貢献する部分は、あるいは技術的解決のすべてまたは部分は、ソフトウェア製品の形で実装され得る。コンピュータソフトウェア製品は、記憶媒体の中に格納され、コンピュータデバイス（それは、パーソナルコンピュータ、サーバ、ネットワークデバイス、等であり得る）に命令して、本発明の実施形態において説明された方法のステップのすべてまたは一部を実行するための命令を含む。記憶媒体は、Ｕディスク、リムーバブルハードディスク、リードオンリーメモリ（ROM、Read-Only  Memory）、ランダムアクセスメモリ（RAM、Random  Access  Memory）、磁気ディスク、あるいは光ディスク、等のプログラムコードを格納できるいかなる媒体をも含む。
【０１２２】
上述の説明は、本発明の特定の実施形態に過ぎず、本発明の保護範囲を制限することを意図するものではない。本発明において開示された技術範囲内で、当業者が容易に想到できるいかなるバリエーションまたは置換は、すべて本発明の保護範囲に入る。したがって、本発明の保護範囲は、特許請求の範囲の保護範囲に従うものとする。
【図１】
0005802842.tif 000002
【図２】
0005802842.tif 000003
【図３】
0005802842.tif 000004
【図４】
0005802842.tif 000005
【図５】
0005802842.tif 000006
【図６】
0005802842.tif 000007
【図７】
0005802842.tif 000008
【図８】
0005802842.tif 000009